(57)【要約】【課題】迫り台が奈落レベルに下がっているときに、昇降駆動装置が奈落面上で見えず、又、迫り台へのワゴンの接近、移動に邪魔にならず、大きな大道具の幅に制約を加えることが無い舞台の迫り設備を提供する。【解決手段】舞台基準面Ｌ０、又は、舞台基準面Ｌ０の上下いずれかの位置となる上演レベルＬ１と、舞台基準面Ｌ０の下方に位置する奈落レベルＬ２との間の昇降行程に沿って昇降可能に組み込まれた迫り台１３を有し、迫り台１３を昇降駆動する昇降駆動装置２０が、迫り台１３の底部１３Ａに一端が結合され、少なくとも昇降行程に渡って直立し、耐座屈性を有するチェーン２１と、チェーン２１を案内するスプロケット２３と、スプロケット２３を介してチェーン２１を往復移動させる駆動モータ２５とを有する舞台の迫り設備。【選択図】　図１
2004018163.tif 000002
【特許請求の範囲】
【請求項１】
舞台の基準面、又は、前記基準面の上下いずれかの位置となる上演レベルと、前記基準面の下方に位置する奈落レベルとの間の昇降行程に沿って昇降可能に組み込まれた迫り台を有する舞台の迫り設備において、
前記迫り台を昇降駆動する昇降駆動手段が、
前記迫り台の底部に一端が結合され、複数のエレメントを一方にのみ回動可能に連結し、かつ、エレメント同士が少なくとも前記昇降行程に渡って直立することで、互いに嵌合して耐座屈性を有するものとなるチェーンと、
前記チェーンを案内するスプロケットと、
前記スプロケットを介して前記チェーンを往復移動させる駆動手段と
を有することを特徴とする舞台の迫り設備。
【請求項２】
請求項１記載の舞台の迫り設備において、
前記エレメントが、略コの字状の横断面を有し、嵌合部となる凹凸部を両端に有することを特徴とする舞台の迫り設備。
【請求項３】
請求項１又は請求項２記載の舞台の迫り設備において、
前記昇降駆動手段の駆動負荷を低減する駆動補助手段を有することを特徴とする舞台の迫り設備。
【請求項４】
請求項３記載の舞台の迫り設備において、
前記駆動補助手段が、
前記チェーンの他の一端側を直立させる屈曲案内手段と、
前記チェーンの他の端部に配設する前記迫り台と略等しい重し部材と、
前記重し部材とともに前記チェーンを昇降させる昇降案内手段と
を備えたことを特徴とする舞台の迫り設備。
【請求項５】
請求項３記載の舞台の迫り設備において、
前記駆動補助手段が、
前記迫り台の底部に一端が配置され、複数のエレメントを一方にのみ回動可能に連結し、かつ、エレメント同士が少なくとも前記昇降行程に渡って直立することで、互いに嵌合して耐座屈性を有するものとなる他のチェーンと、
前記他のチェーンの他の一端側を直立させる屈曲案内手段と、
前記他のチェーンの他の端部に配設する前記迫り台と略等しい重し部材と、
前記重し部材とともに前記他のチェーンを昇降させる昇降案内手段と
を備えたことを特徴とする舞台の迫り設備。
【請求項６】
請求項５記載の舞台の迫り設備において、
前記屈曲案内手段が、
前記他のチェーンを案内するスプロケットと、
前記スプロケットを介して前記他のチェーンを往復移動させる駆動手段と
を有することを特徴とする舞台の迫り設備。
【請求項７】
請求項１乃至請求項６いずれかに記載の舞台の迫り設備において、
前記迫り台が、複数に区分され、前記昇降駆動手段により個別に昇降駆動されることを特徴とする舞台の迫り設備。
【発明の詳細な説明】
【０００１】
【発明の属する技術分野】
本発明は、演劇や歌舞伎等を上演する舞台の迫り設備に関する。
【０００２】
【従来の技術】
図５は、従来の舞台の迫り設備の要部の斜視図である。
【０００３】
図５に示すように、従来の舞台の迫り設備５０では、迫り台１３が、上演レベルＬ１と、舞台基準面Ｌ０の下方に位置し、待機している俳優が乗り込む奈落レベルＬ２との間で、垂直案内昇降レール５５に沿って昇降可能に組み込まれている。迫り台１３は、その長手方向の両端部にてチェーン５１とその案内シーブ５２とを用いた昇降駆動装置５３によって昇降駆動される。この昇降駆動装置５３は、深いピットを必要とするネジジャッキ押し上げ方式や駆動スプロケット／迫り台付きラックに替えて、チェーン５１による吊上げ方式を用いるものである。
【０００４】
具体的には、チェーン５１は、その一端が迫り台１３に結合され、中間部でスプロケットホイール５４に係合され、他の一端でカウンターバランスウエイト５９に結合され、昇降駆動装置５３により駆動されるスプロケットホイール５４を回転させることにより、チェーン５１を巻き取り、迫り台１３の昇降を行うものである。
【０００５】
昇降駆動装置５３は、各迫り台１３に対して、それぞれ設置されており、各昇降駆動装置５３は、１つのギアードモータ５３Ａと、ギアードモータ５３Ａにより駆動され、迫り台１３の両端部側へ延びる２つの伝動軸５３Ｂと、伝動軸５３Ｂに係合する２つの歯車箱５３Ｃとから構成され、歯車箱５３Ｃに係合するスプロケットホイール５４が、これらにより駆動される。なお、チェーン５１の巻き取り時に、昇降駆動装置５３への負荷が大きくならないように、カウンターバランスウェイト５９は、迫り台１３等との釣り合いが取れる重量に設定される。
【０００６】
【発明が解決しようとする課題】
従来の舞台の迫り設備５０では、迫り台１３を昇降させるために、チェーン５１による吊り上げ方式を用いており、チェーン５１自体を引く方向に力を働かせることで、チェーン５１に結合された対象物、つまり、迫り台１３、カウンターバランスウェイト５９を昇降させていた。具体的には、迫り台１３の上昇時には、チェーン５１の他端に結合されたカウンターバランスウェイト５９の重量を利用して、迫り台１３側のチェーン５１を吊り上げることで、迫り台１３を上昇させ、迫り台１３の下降時には、迫り台１３自体の自重を利用して、カウンターバランスウェイト５９側のチェーン５１を吊り上げることで、迫り台１３を下降させている。上記昇降動作のために、チェーン５１が迫り台１３及びカウンターウェイトバランス５９を吊り上げるスペースが必要となり、チェーン５１及び案内シーブ５２が、必然的に迫り台１３の両端部から突出する配置となる。
【０００７】
そのため、上記舞台の迫り設備５０では、迫り台１３が奈落レベルＬ２に下がっているときに、チェーン５１と案内シーブ５２が、奈落階１６上で待機している俳優等に見える他、迫り台１３に大道具等を搬送するワゴン３０が接近、移動する際に邪魔になり、特に大きな大道具の幅に制約を加えていた。
【０００８】
本発明は上記課題に鑑みなされたもので、迫り台が奈落レベルに下がっているときに、昇降駆動装置が奈落面上で見えず、又、迫り台へのワゴンの接近、移動に邪魔にならず、大きな大道具の幅に制約を加えることが無い舞台の迫り設備を提供することを目的とする。
【０００９】
【課題を解決するための手段】
上記課題を解決する本発明に係る舞台の迫り設備は、舞台の基準面、又は、前記基準面の上下いずれかの位置となる上演レベルと、前記基準面の下方に位置する奈落レベルとの間の昇降行程に沿って昇降可能に組み込まれた迫り台を有し、前記迫り台を昇降駆動する昇降駆動手段が、前記迫り台の底部に一端が結合され、複数のエレメントを一方にのみ回動可能に連結し、かつ、エレメント同士が少なくとも前記昇降行程に渡って直立することで、互いに嵌合して耐座屈性を有するものとなるチェーンと、前記チェーンを案内するスプロケットと、前記スプロケットを介して前記チェーンを往復移動させる駆動手段とを有することを特徴とする。
【００１０】
上記課題を解決する本発明に係る舞台の迫り設備は、前記エレメントが、略コの字状の横断面を有し、嵌合部となる凹凸部を両端に有することを特徴とする。
【００１１】
上記課題を解決する本発明に係る舞台の迫り設備は、前記昇降駆動手段の駆動負荷を低減する駆動補助手段を有することを特徴とする。
【００１２】
上記課題を解決する本発明に係る舞台の迫り設備は、前記駆動補助手段が、前記チェーンの他の一端側を直立させる屈曲案内手段と、前記チェーンの他の端部に配設する前記迫り台と略等しい重し部材と、前記重し部材とともに前記チェーンを昇降させる昇降案内手段とを備えたことを特徴とする。
【００１３】
上記課題を解決する本発明に係る舞台の迫り設備は、前記駆動補助手段が、前記迫り台の底部に一端が配置され、複数のエレメントを一方にのみ回動可能に連結し、かつ、エレメント同士が少なくとも前記昇降行程に渡って直立することで、互いに嵌合して耐座屈性を有するものとなる他のチェーンと、前記他のチェーンの他の一端側を直立させる屈曲案内手段と、前記他のチェーンの他の端部に配設する前記迫り台と略等しい重し部材と、前記重し部材とともに前記他のチェーンを昇降させる昇降案内手段とを備えたことを特徴とする。
つまり、昇降駆動手段で用いたチェーンと同等の機能を有する他のチェーンを駆動補助手段でも用いる。
【００１４】
上記課題を解決する本発明に係る舞台の迫り設備は、前記屈曲案内手段が、前記他のチェーンを案内するスプロケットと、前記スプロケットを介して前記他のチェーンを往復移動させる駆動手段とを有することを特徴とする。
【００１５】
上記課題を解決する本発明に係る舞台の迫り設備は、前記迫り台が、複数に区分され、前記昇降駆動手段により個別に昇降駆動されることを特徴とする。
【００１６】
【発明の実施の形態】
本発明に係る実施形態の一例の舞台の迫り設備を、図１〜図４を用いて詳細に説明する。なお、本発明は、図に示すもののみに限定するものではない。
【００１７】
図１は、本発明に係る実施形態の一例を示す舞台の迫り設備の要部の斜視図、図２は、同舞台の迫り設備の迫り台の昇降駆動装置の立面図、図３は、同舞台の迫り設備の迫り台の別設のカウンターバランス構成を示した側面図、図４は、同舞台の迫り設備の昇降駆動装置のチェーンエレメントを示す斜視図である。
【００１８】
図１に示すように、本発明に係る実施形態の一例を示す舞台の迫り設備１は、主舞台を構成するように、側舞台１１と１２との間である中央部に配置され、前後方向に複数に区分された迫り台１３を有している。なお、迫り台１３を複数に区分せず、単体の迫り台１３で構成してもよい。
【００１９】
各迫り台１３は、舞台基準面Ｌ０、又は、舞台基準面Ｌ０の上下いずれかの位置となる上演レベルＬ１と、舞台基準面Ｌ０の下方に位置し、迫り台１３で登場する俳優や小道具等の舞台具が待機する奈落レベルＬ２との間の昇降行程に沿って昇降可能に設けられており、各迫り台１３の４隅に設けられた案内レール１８に沿って迫り台１３の昇降駆動を行う昇降駆動手段となる昇降駆動装置２０を有している。
【００２０】
迫り台１３の上演レベルＬ１は、情景設定に応じて、各迫り台１３毎に舞台基準面Ｌ０より上になったり、下になったり、又は舞台基準面Ｌ０になったりする。奈落階１５には、予め組んで用意してある小道具や大道具等を、奈落レベルＬ２に下がって来た迫り台１３に移し替えるワゴン３０が用意されている。
【００２１】
昇降駆動装置２０は、各迫り台１３毎に、その長手方向の両端部において、対向するように設けられており、迫り台１３の両端部の各底部１３Ａの２隅の位置に一端が結合され、少なくとも迫り台１３の昇降行程に渡って直立し、更に、昇降行程より下の位置で水平に屈曲する２列のチェーン２１と、チェーン２１の屈曲部２１Ａにて噛合し、案内するスプロケット２３と、スプロケット２３を介して、チェーン２１を往復移動させる駆動手段となる可逆転駆動モータ２５とから構成されている。チェーン２１及び後述するチェーン３１については、図４において詳述するが、本発明に係るチェーンは、複数のエレメントを一方にのみ回動可能に連結し、かつ、エレメント同士が直列状態になったときには、互いに嵌合して耐座屈性を有するため、迫り台１３を下方から昇降可能に支持する垂直支持性を有するものである。
【００２２】
各底部１３Ａに結合された左右一対のチェーン２１は、同一の駆動モータ２５の出力軸２５Ａに取り付けられたスプロケット２３によって往復移動される。駆動モータ２５としては、ブレーキと減速機とが組み込まれた電動モータが好適であるが、他に油圧モータも使用できる。スプロケット２３とチェーン２１との噛み合いを確実にするため、チェーン２１の背後には、屈曲に沿った湾曲案内面Ｇが設けられており、この湾曲案内面Ｇは、スプロケット２３と共に軸箱２６内に設けられている。湾曲案内面Ｇにより水平方向に屈曲されたチェーン２１の自由端部２１Ｂは、奈落階１５の下方の機械室１６の床上の案内樋１７で支持されている（図１及び図２参照）。
【００２３】
又、迫り台１３は、駆動モータ２５の駆動負荷を軽減するために、図２に示した昇降駆動装置２０と同様な構成を有し、昇降駆動の補助となる駆動補助手段を、迫り舞台１の前後方向の位置に有している。具体的には、迫り台１３の底部に、その一端が配置され、少なくとも迫り台１３の昇降行程に渡って直立し、更に、昇降行程より下の位置で屈曲案内手段によりＵ字状に屈曲されることで、他の一端側が直立するチェーン３１と、チェーン３１の他の端部に載せられた状態で取り付けられ、迫り台１３の重量にほぼ等しい重し部材となるカウンターバランスウエイト３２とを有する。Ｕ字状となるチェーン３１の２つの屈曲部３１Ａは、屈曲案内手段となる２つのスプロケット３３によって案内され、カウンターバランスウエイト３２はチェーン３１とともに、昇降案内手段となる垂直レール１９に沿って案内されている。スプロケット３３とチェーン３１との噛み合いを確実にするため、チェーン３１の背後にも屈曲部３１Ａに沿った湾曲案内面Ｇが設けられており、この湾曲案内面Ｇは、スプロケット３３と共に軸箱２６内に設けられている（図１及び図３参照）。
【００２４】
なお、Ｕ字状に屈曲されたチェーン３１の２つの屈曲部３１Ａに係合するスプロケット３３の内、少なくとも一方を可逆転駆動モータで回転駆動するようにしても、カウンターバランスウエイト３２と迫り台１３を両端で支持するチェーン３１を往復運動させることができるため、迫り台１３を昇降駆動する昇降駆動装置として構成することができる。
【００２５】
又、図２に示したチェーン２１においても、湾曲案内面Ｇにより水平方向に屈曲されたチェーン２１の自由端部２１Ｂを、昇降行程より下の位置で屈曲案内手段によりＵ字状に屈曲することで、他の一端側を直立させ、その端部に迫り台１３の重量にほぼ等しい重し部材を載せ、重し部材とともにチェーン３１を、昇降案内手段となる垂直レール等を設けることで、駆動モータ２５の駆動負荷を軽減する駆動補助手段を備えることができる。屈曲案内手段としては、図３に示すように、２つのスプロケット等で構成することで、Ｕ字状に屈曲してもよい。
【００２６】
上記構成の昇降駆動装置２０等では、節動自由であり、引く方向にしか力の伝達ができない通常のチェーンを用いる替わりに、複数のエレメントを一方にのみ回動可能に連結し、かつ、エレメント同士が直列状態になったときには、互いに嵌合して耐座屈性を有するものとなるチェーンを用いることで、チェーンが直立した時に、荷重に対する垂直支持性を有するようにして、迫り台１３の昇降時にチェーンが迫り台１３を下方から支えられる構造とした。更に、昇降案内レール１８等を併設することで、比較的簡単で小型の迫り台に対して、上記構造を採用することができる。このチェーンの詳細を、図４を用いて説明する。
【００２７】
図４に示すように、チェーン２１、３１を構成するエレメント２は、略コの字状の横断面を有しており、主な荷重支持部分となる横断壁２ａと横断壁２ａの両側面となり、互いに向き合う側壁２ｂとから構成される。更に、開放側の面を横断するように設けられ、隣接する他のエレメント２を互いに連結するピン２ｃを有する。直列状態での耐座屈性を高めるため、側壁２ｂの、他のエレメント２と接触する両端部分には、横断壁２ａの側から開放側の面へ沿って、他のエレメント２と嵌合する嵌合部となる凹凸部２ｄ、２ｅが形成される。
【００２８】
エレメント２が略コの字状の横断面を有するため、その開放側の面の方向にのみ回動可能となる。更に、その開放側の面から、スプロケット２３、３３等の歯を挿入することで、ピン２ｃをスプロケット２３、３３等の歯と歯の間に配置させ、通常のチェーンのように、上記構造のエレメント２を有するチェーン２１、３１を、スプロケット２３、３３等で噛合して、往復移動させることができる。又、エレメント２同士の嵌合部となる凹凸部２ｄ、２ｅの接触面積もより多くすることができ、チェーン２１、３１の耐座屈性をより向上させることができる。
【００２９】
上記構造のエレメント２により構成されたチェーン２１、３１は、一方にのみ、つまり、コの字断面の開放側にのみ回動可能であるとともに、直列状態となる直立時には、凹凸部２ｄ、２ｅにて互いに嵌合し、耐座屈性を有するとともに荷重の垂直支持能力、即ち高い耐圧縮能力を有することになる。
【００３０】
なお、図４に示すチェーンのエレメント２は、本発明の実施形態の一例であり、一方にのみ回動可能に連結し、かつ、直列状態になったときに、互いに嵌合して、耐座屈性を有するものとなるものであれば、どのような形状でもよい。
【００３１】
上記エレメント２を用いたチェーン２１、３１は、一方のみではあるが回動可能であり、かつ、直立時には座屈しにくく、高い荷重の垂直支持性を有する。そのため、チェーンを引く方向にも、押す方向にも力をかけることができるため、このチェーンを用いた装置の配置及び構成を単純にすることができる。従って、本発明に係る舞台の迫り設備１に適用した場合、チェーンを含めた昇降駆動装置２０全体を、迫り台１３下部に配置することができるため、迫り台１３が奈落レベルＬ２に下がっているときに、奈落面上で待機している俳優等には見えず、又、迫り台に大道具等を搬送するワゴンが接近、移動する際に邪魔にならず、大きな大道具の幅に制約を加えることが無い舞台の迫り設備とすることができる。
【００３２】
【発明の効果】
請求項１又は請求項２に係る発明によれば、舞台の基準面、又は、前記基準面の上下いずれかの位置となる上演レベルと、前記基準面の下方に位置する奈落レベルとの間の昇降行程に沿って昇降可能に組み込まれた迫り台を有し、前記迫り台を昇降駆動する昇降駆動手段が、前記迫り台の底部に一端が結合され、複数のエレメントを一方にのみ回動可能に連結し、かつ、エレメント同士が少なくとも前記昇降行程に渡って直立することで、互いに嵌合して耐座屈性を有するものとなるチェーンと、前記チェーンを案内するスプロケットと、前記スプロケットを介して前記チェーンを往復移動させる駆動手段とを有するので、チェーンを含めた昇降駆動装置全体を、迫り台の下部に配置することができるため、奈落レベルまで下げられた迫り台の昇降駆動装置が奈落レベルよりも下になり、奈落面上で待機している俳優等には見えず、また迫り台に大道具等を搬送するワゴンが接近移動する際に邪魔にならず、特に大きな大道具の幅に制約を加えることが無い。
【００３３】
請求項３又は請求項４に係る発明によれば、前記駆動補助手段が、前記チェーンの他の一端側を直立させる屈曲案内手段と、前記チェーンの他の端部に配設する前記迫り台と略等しい重し部材と、前記重し部材とともに前記チェーンを昇降させる昇降案内手段とを備えたので、比較的簡単な小型の迫り台に対して、昇降駆動手段の駆動負荷を低減するカウンターバランス機構をコンパクトに組み込むことができる。
【００３４】
請求項３又は請求項５に係る発明によれば、前記駆動補助手段が、前記迫り台の底部に一端が配置され、複数のエレメントを一方にのみ回動可能に連結し、かつ、エレメント同士が少なくとも前記昇降行程に渡って直立することで、互いに嵌合して耐座屈性を有するものとなる他のチェーンと、前記他のチェーンの他の一端側を直立させる屈曲案内手段と、前記他のチェーンの他の端部に配設する前記迫り台と略等しい重し部材と、前記重し部材とともに前記他のチェーンを昇降させる昇降案内手段とを備えたので、Ｕ字状となるチェーンの両端上に各々迫り台と重し部材を載せた状態で釣り合わせることができ、昇降駆動手段の駆動負荷を低減する非常に簡便なカウンターバランス機構を得ることができる。
【００３５】
請求項６に係る発明によれば、前記屈曲案内手段が、前記他のチェーンを案内するスプロケットと、前記スプロケットを介して前記他のチェーンを往復移動させる駆動手段とを有するので、比較的簡単な小型の迫り台に対して、カウンターバランス機構をコンパクトに組み込み、かつ、昇降駆動可能な装置とすることができる。
【００３６】
請求項７に係る発明によれば、前記迫り台が、複数に区分され、前記昇降駆動手段により個別に昇降駆動されるので、一般に演技が集中して行われることが多い舞台の中央部で複数の迫り台を雛段や、山のように色々なレベルに設定でき、情景転換を行い易くなる。
【図面の簡単な説明】
【図１】本発明に係る代表実施例の舞台の迫り設備の要部の斜視図である。
【図２】同舞台の迫り設備の迫り台の昇降駆動装置の立面図である。
【図３】同舞台の迫り設備の迫り台の別設のカウンターバランス構成を示した側面図である。
【図４】同舞台の迫り設備の昇降駆動装置のチェーンエレメントを示す斜視図である。
【図５】従来技術に係る舞台の迫り設備の要部の斜視図である。
【符号の説明】
１　　　舞台の迫り設備
２　　　エレメント
２ａ　　横断壁
２ｂ　　側壁
２ｃ　　横断ピン
２ｄ　　凹凸部
２ｅ　　凹凸部
１３　　迫り台
１３Ａ　底部
１８　　案内レール
１９　　垂直レール
２０　　昇降駆動装置
２１　　チェーン
２３　　スプロケット
２５　　駆動モータ
３１　　チェーン
３２　　カウンターバランスウエイト
３３　　スプロケット
Ｌ０　　舞台基準面
Ｌ１　　上演レベル
Ｌ２　　奈落レベル
【図１】
2004018163.tif 000003
【図２】
2004018163.tif 000004
【図３】
2004018163.tif 000005
【図４】
2004018163.tif 000006
【図５】
2004018163.tif 000007